(57)【特許請求の範囲】
【請求項１】
複数のリンクを含み、
隣接するリンクの間は、連結構造を通じて回転連結される
ヒンジであって、
前記ヒンジは伸縮ポジショニング装置を備えており、
前記伸縮ポジショニング装置は左側伸縮連結台と右側伸縮連結台及び中間連結台を備えており、
前記左側伸縮連結台と右側伸縮連結台は、それぞれ中間連結台に回転可能に連結されており、
前記中間連結台と前記複数のリンク中の中央部のリンクとは、固定されており、
前記複数のリンク中の左右末端のリンク及び左側伸縮連結台と右側伸縮連結台には、それぞれモバイル端末上に連結できる連結部位が設けられており、
前記伸縮連結台は、伸縮連結台が伸縮するポジショニング構造を備えており、
前記ポジショニング構造は、
前記伸縮連結台の第一台に連結されたスライドカムと、そのサポートスプリング、及び、
前記伸縮連結台の第二台に設けられ、カムが嵌まり、前記第一台にスライド可能に連結されるポジショニングスロット
を含み、
前記ポジショニングスロットは、少なくとも２つあり、それぞれ伸縮ストロークの２つのリミット位置に対応する
ことを特徴とする、フレキシブルスクリーンモバイル端末用ヒンジ。
【請求項２】
前記左側伸縮連結台と右側伸縮連結台の間にはシンクロナス逆伝動機構が設けられており、前記左側伸縮連結台と右側伸縮連結台が反対方向に同期して回転できる、ことを特徴とする請求項１に記載のフレキシブルスクリーンモバイル端末用ヒンジ。
【請求項３】
前記シンクロナス逆伝動機構中の伝動部品は、中間連結台と伸縮連結台の回転軸とに設けられている
ことを特徴とする、請求項２に記載のフレキシブルスクリーンモバイル端末用ヒンジ。
【請求項４】
前記第一台は２つのガイド溝を有し、
前記第二台は２つの分割部品に分けられ、
２つの分割部品の一端は、前記２つのガイド溝とスライド可能に連結されており、
２つの分割部品の他の一端は、回転軸に連結されており、
前記スライドカム及びそのサポートスプリングは、２つの分割部品の間に配置されており、
前記ポジショニングスロットは第二台の２つの分割部品に設けられている
ことを特徴とする、請求項１に記載のフレキシブルスクリーンモバイル端末用ヒンジ。
【請求項５】
前記リンクの数は奇数であり、前記中間連結台は中央にあるリンクと連結されていることを特徴とする請求項１に記載のフレキシブルスクリーンモバイル端末用ヒンジ。
【請求項６】
前記伸縮ポジショニング装置は前記リンクの内側に位置する
ことを特徴とする請求項１に記載のフレキシブルスクリーンモバイル端末用ヒンジ。
【請求項７】
前記リンクの回転中心はリンクの外側に位置し、リンクの外側を繋ぐ線は、フレキシブルスクリーンが配置される位置での中立的な面を形成する
ことを特徴とする請求項１に記載のフレキシブルスクリーンモバイル端末用ヒンジ。
【請求項８】
前記中間連結台は、伸縮連結台が連結される穴を有し、当該穴は、側面に開口のある弾性穴である
ことを特徴とする請求項１に記載のフレキシブルスクリーンモバイル端末用ヒンジ。
【請求項９】
前記中間連結台も２つの分割部品に分けられ、２つの分割部品は、それぞれ左側伸縮連結台及び右側伸縮連結台の回転軸と連結され、
前記左側伸縮連結台と右側伸縮連結台の間には、前記左側伸縮連結台と右側伸縮連結台を反対方向に同期して回転させるシンクロナス逆伝動機構があり、
前記中間連結台の２つの分割部品の間には、前記シンクロナス逆伝動機構が設けられ、
前記第二台の２つの分割部品は、前記中間連結台の２つの分割部品の外側にそれぞれ配置されており、伸縮ポジショニング装置の伸縮構造を形成する、
ことを特徴とする請求項１に記載のフレキシブルスクリーンモバイル端末用ヒンジ。
【請求項１０】
請求項１から９までの何れか一項に記載されたフレキシブルスクリーンモバイル端末用ヒンジに設けられたフレキシブルスクリーンを備えた、フレキシブルモバイル端末であって、
前記フレキシブルスクリーンモバイル端末は、フレキシブルスクリーン左支持板と、フレキシブルスクリーン右支持板とを備え、
前記フレキシブルスクリーン左支持板は、前記複数のリンク中の左側末端のリンク及び左側伸縮連結台と連結され、
前記フレキシブルスクリーン右支持板は、前記複数のリンク中の右側末端のリンク及び右側伸縮連結台と連結される
ことを特徴とするフレキシブルスクリーンモバイル端末。
【発明の詳細な説明】
【技術分野】
【０００１】
本発明はフレキシブルスクリーンモバイル端末用ヒンジ及びフレキシブルスクリーンモバイル端末に関するものである。
【背景技術】
【０００２】
フレキシブルスクリーンは、新しいスクリーンである。フレキシブルスクリーンにとって、目下解決しなければならぬ問題は、曲げる・開ける時にフレキシブルスクリーンの支持面の長さが変わらないか、変化を極めて小さくして、使用に便利にさせることである。フレキシブルスクリーンは、商品化されて、携帯電話やノートＰＣなどのモバイル端末に応用される。
【発明の概要】
【発明が解決しようとする課題】
【０００３】
本発明の１つの目的は、モバイル端末中に使用してフレキシブルスクリーンを支えるとともに使用に便利なヒンジを提供するフレキシブルスクリーンモバイル端末用ヒンジを提供することである。
【課題を解決するための手段】
【０００４】
フレキシブルスクリーンモバイル端末用ヒンジは、複数のリンクを含み、隣接するリンクの間は、連結構造を通じて回転連結され、前記ヒンジは伸縮ポジションイング装置を備え、前記伸縮ポジショニング装置は左側伸縮連結台と右側伸縮連結台及び中間連結台を備え、前記左側伸縮連結台と右側伸縮連結台はそれぞれ中間連結台と回転連結され、前記中間連結台と前記複数のリンク中の中央部のリンクとは固定されており、前記複数のリンク左右末端のリンク及び左側伸縮連結台と右側伸縮連結台には、それぞれモバイル端末上に連結できる連結部位が設けられている。
【０００５】
前記技術手段に基づき、本発明では以下さらなる技術手段又はこれらのさらなる技術手段を組み合わせて使用することもできる。
【０００６】
さらなる技術手段：
前記左側伸縮連結台と右側伸縮連結台の間にはシンクロナス逆伝動機構があって、前記左側伸縮連結台と右側伸縮連結台が反対方向に同期して回転できるようにしてもよい。
【０００７】
伸縮連結台は、伸縮連結台が伸縮するポジショニング構造を備えていてもよい。
【０００８】
前記ポジショニング構造は伸縮連結台に連結される第一台上のスライドカムとそのサポートスプリング及び第一台上のカムと嵌め合うポジショニングスロットを含み、前記ポジショニングスロットは少なくとも２つあり、それぞれ伸縮ストロークの２つのリミット位置に対応してもよい。
【０００９】
前記第一台には２つのガイド溝があり、前記第二台は２つの分割部品に分けられ、２つの分割部品の一端は前記２つのガイド溝とスライド可能に連結され、他の一端は回転軸に連結され、前記スライドカム及びそのサポートスプリングは２つの分割部品の間に配置され、前記ポジショニングスロットは第二台の２つの分割部品に設けられていてもよい。
【００１０】
前記シンクロナス逆伝動機構中の伝動部品は中間連結台及び伸縮連結台の回転軸に設けられていてもよい。
【００１１】
前記リンクの数は奇数であり、前記中間連結台は中央にあるリンクと連結されてもよい。
【００１２】
前記伸縮ポジショニング装置は前記リンクの内側に位置していてもよい。
【００１３】
前記リンクの回転中心はリンクの外側に位置し、その連結線は前記フレキシブルスクリーンが位置する中性層を形成してもよい。
【００１４】
前記中間連結台に設置される伸縮連結台と連結される穴は側面に開口のある弾性穴であってもよい。
【００１５】
前記中間連結台も２つの分割部品に分けられ、２つの分割部品はそれぞれ左側伸縮連結台及び右側伸縮連結台の回転軸と連結され、前記左側伸縮連結台と右側伸縮連結台の間にはシンクロナス逆伝動機構があって、前記左側伸縮連結台と右側伸縮連結台を反対方向に同期して回転するようにし、前記中間連結台の２つの分割部品の間には前記シンクロナス逆伝動機構が設けられ、前記第二台の２つの分割部品は、前記中間連結台の２つの分割部品の外側にそれぞれ配置され、伸縮ポジショニング装置の伸縮構造を形成する。
【００１６】
本発明はフレキシブルスクリーンモバイル端末を提供することを第二の目的としており、前記フレキシブルスクリーンモバイル端末は前記フレキシブルスクリーンモバイル端末用ヒンジを備え、前記フレキシブルスクリーンモバイル端末はフレキシブルスクリーン左支持板とフレキシブルスクリーン右支持板を備え、フレキシブルスクリーン左支持板は前記複数リンクの左側末端のリンク及び左側伸縮連結台と連結され、フレキシブルスクリーン右支持板は前記複数リンクの右側末端のリンク及び右側伸縮連結台と連結される。
【００１７】
上記技術手段を使用することによって、本発明によって提供されるフレキシブルスクリーンモバイル端末用ヒンジの機能が先進的で、フレキシブルスクリーンを携帯電話や、ＰＣなどのモバイル端末に使用させることができ、使用されるフレキシブルスクリーンモバイル端末はフレキシブルスクリーンを開く、又は閉じる操作を行なう時に、便利であるだけでなく、安定的なポジショニングを得るとともに、優れた操作性を得ることができる。
【図面の簡単な説明】
【００１８】
【図１】図１は本発明のフレキシブルスクリーンモバイル端末用ヒンジ実施例の分解図である。
【図２】図２は本発明のフレキシブルスクリーンモバイル端末用ヒンジ実施例の伸縮ポジショニング装置をヒンジの内側から見た略図である。
【図３】図３は中間連結台に回転軸とシンクロナス逆伝動機構を配置したものをヒンジの内側から見た略図である。
【図４】図４はシンクロナス逆伝動機構の略図である。
【図５】図５は本発明のフレキシブルスクリーンモバイル端末用ヒンジを開いた時の略図である。
【図６】図６は本発明のフレキシブルスクリーンモバイル端末用ヒンジ上にフレキシブルスクリーンを設置し、それを開いた時の略図である。
【図７】図７は本発明のフレキシブルスクリーンモバイル端末用ヒンジを閉じた時の略図である。
【図８】図８は本発明のフレキシブルスクリーンモバイル端末用ヒンジ上にフレキシブルスクリーンを設置し、それを閉じた時の略図である。
【図９】図９は本発明のフレキシブルスクリーンモバイル端末用ヒンジの複数のリンクが開かれた時の略図である。
【図１０】図１０は本発明のフレキシブルスクリーンモバイル端末用ヒンジの複数のリンクが閉じられた時の略図である。
【図１１】図１１はフレキシブルスクリーンモバイル端末が開かれた時の内側の略図である。
【図１２】図１２はフレキシブルスクリーンモバイル端末が開かれた時の外側の略図である。
【図１３】図１３はフレキシブルスクリーンモバイル端末が閉じられた時の外側の略図である。
【発明を実施するための形態】
【００１９】
図面のとおり、本発明によって提供されるフレキシブルスクリーンモバイル端末用ヒンジは、複数のリンク１を含んでいる。隣接するリンク１の間は、連結構造を通じて回転連結されている。フレキシブルスクリーン３００はリンク１の外側位置している。ヒンジには、伸縮ポジションイング装置を備えている。伸縮ポジショニング装置は、左側伸縮連結台２Ｌと右側伸縮連結台２Ｒ及び中間連結台４を備えている。左側伸縮連結台２Ｌと右側伸縮連結台２Ｒは、それぞれ中間連結台４に回転可能に連結されている。中間連結台４と複数のリンク中の中央部のリンクとは、固定されている。連結方式は溶接又はその他の形式の固定連結を採用することができる。図面記号４１は、中間連結台４上で固定連結される凸状ロッドである。中央部のリンク１０３の外側面、又は、リンクの中央部の外側面は、フレキシブルスクリーンが曲がる時の形状に沿った面３０１をなるべく有し、例えば、円柱面からなる。複数のリンク左右末端のリンク１０１、１０２及び左側伸縮連結台と右側伸縮連結台とには、それぞれモバイル端末上に連結できる連結部位１１、１２、２Ｌ０、２Ｒ０が設けられている。
【００２０】
前記左側伸縮連結台２Ｌはスライド可能な第一台２１を備えており、右側伸縮連結台２Ｒはスライド可能な第二台２２を備えている。左側伸縮連結台２Ｌと右側伸縮連結台２Ｒは、伸縮連結台が伸縮するためのポジショニング構造を何れも備えている。
【００２１】
ポジショニング構造は、伸縮連結台の第一台２１に連結されたスライドカム３１とそのサポートスプリング３３、及び、第二台２２上のカム３１と嵌まるポジショニングスロット３２を含み、ポジショニングスロット３２は少なくとも２つある。ポジショニングスロット３２は、それぞれ伸縮連結台の伸縮ストロークの２つのリミット位置に対応する。第一台２１にはポジショニングスロットを設置し、第二台には弾性ピンが設置することもできる。
【００２２】
左側伸縮連結台と右側伸縮連結台の間にはシンクロナス逆伝動機構が設けられている。シンクロナス逆伝動機構は、左側伸縮連結台と右側伸縮連結台を反対方向に同期して回転させる。
【００２３】
第一台２１は２つのガイド溝２１１を有している。第二台２２は２つの分割部品に分けられる。２つの分割部品の一端は、２つのガイド溝２１１にスライド可能に連結されている。２つの分割部品の他の一端は、回転軸２３に連結されている。スライドカム３１及びそのサポートスプリング３３は２つの分割部品の間に配置されている。ポジショニングスロット３２は、第二台２２の２つの分割部品に設けられている。
【００２４】
中間連結台４も２つの分割部品４０１、４０２に分けられる。部品４０１、４０２は、左側伸縮連結台及び右側伸縮連結台の回転軸２３と連結されている。左側伸縮連結台２Ｌと右側伸縮連結台２Ｒの間には、シンクロナス逆伝動機構がある。中間連結台４の２つの分割部品４０１、４０２の間には、シンクロナス逆伝動機構が設けられている。第二台２２の２つの分割部品は、中間連結台４の２つの分割部品の外側にそれぞれ配置されており、伸縮ポジショニング装置の伸縮構造を形成する。
【００２５】
シンクロナス逆伝動機構は、歯車によって駆動するシンクロナス逆伝動機構又はカムによって制御されるシンクロナス逆伝動機構などでもよい。
【００２６】
シンクロナス逆伝動機構中の伝動部品は、中間連結台４と伸縮連結台の回転軸２３とに設けられている。本発明において、シンクロナス逆伝動機構には、ギア伝動機構が用いられている。ギア伝動機構は、順に噛み合う４つのギア５を有している。この４つのギアのうち第１ギアおよび第４ギアは、回転軸２３上に設置され、第２ギアおよび第３ギアは中間連結台４上に連結される。
【００２７】
伸縮ポジショニング装置は、リンクの内側に設置されている。
【００２８】
リンク１の回転中心Ｏは、リンクの外側に位置している。ヒンジの外側に敷かれるフレキシブルスクリーン３００が曲がる時と開かれる時とで長さがほとんど変わらないように、リンク１の外側を繋ぐ線は、フレキシブルスクリーンが配置される位置での中立的な面を形成する。
【００２９】
隣接するリンク１の間の連結構造には、隣接するリンク中の第一リンク上の円弧状ガイド溝７１と、隣接する第二リンク上のガイドピン７２とが含まれている。ガイドピン７２は、円弧状ガイド溝７１を通り抜け、円弧状のガイド溝７１に沿ってスライドできる。円弧状ガイド溝７１の円弧の中心は、回転中心Ｏとなる。
【００３０】
円弧状ガイド溝７１は、ガイドピン７２が嵌め合わされている。円弧状ガイド溝７１は、隣接する２つのリンク回転角度の規定する溝にもなっている。円弧状ガイド溝７１は、リンク１の前面側と背面側との一方の側において、リンク１の両端にそれぞれ設けられている。ガイドピン７２は、リンク１の前面側と背面側とのうち他方の側において、リンク１の両端にそれぞれ設けられている。円弧状ガイド溝７１中のガイドピン７２は、円弧状ガイド溝の長さ方向に沿って配置された２つのガイドピン７２であり、信頼性がある位置決め、回転制限機能およびリンク回転の効果を提供する。
【００３１】
リンク１の外側面は、凸状の円弧面を以ってフレキシブルスクリーンを支えるサポート部位を形成する。これによって、フレキシブルスクリーンが曲がる時にリンクの縁部位が、フレキシブルスクリーンに悪影響を及ぼすのを避けることができる。また、ヒンジが曲がった後に円弧に近い形状を形成し、より均質なサポートベースを提供することができる。
【００３２】
リンク数はなるべく奇数にしてもよく、中間連結台４は中央にあるリンク１０３と連結してもよい。また、リンク数は偶数にすることもでき、その真ん中の二本のリンクは中間連結台４と連結されてもよい。本実施例では、リンクは５本である。最大オープン角度では、５本のリンクは平らに開かれた状態になる。複数のリンク１の数は、デザインの必要に応じて調整される。
【００３３】
連結部位１１、１２は、別途に作られた部品１１０に設けられる。部品１１０は左右末端リンク１０１、１０２に設けられる。
【００３４】
ヒンジの両端には、ヒンジの端面にてヒンジ内部の隙間を遮蔽するために、左滑り蓋８１と右滑り蓋８２が設置されている。左滑り蓋８１と右滑り蓋８２の一端は、円弧状溝８０を有しており、円弧状溝８０を通じて、中部リンク上の軸８３、８４にスライド可能に連結されている。左滑り蓋８１と右滑り蓋８２の他の一端は、スライドレール８５を有しており、スライドレール８５によって部品１１０の側面にスライド可能に連結されている。左滑り蓋８１と右滑り蓋８２は、ヒンジが開き／閉じの過程において、往復にスライドし、ヒンジ内部の隙間を遮蔽する。
【００３５】
中間連結台４には、伸縮連結台の回転軸２３に連結されるための穴４２を備えている。穴は側面に開口した弾性穴である。弾性穴４２と回転軸２３の嵌め合いは、ヒンジの開き／閉じに抵抗力を提供する。そして、フレキシブルスクリーンモバイル端末用ヒンジの開き／閉じの過程において、即時停止と即時ポジショニング機能を提供する。かかる摩擦力が外力によって克服される時に、ヒンジが引き続き開き又は閉じることができるだけでなく、摩擦力が克服されない時に、開き角度を保つこともでき、いつでもポジションイングできるように機能する。これによって、リンク間の連結構造中に必ずしも即時ポジショニング機能を提供するトルク機構を設置する必要がなくなり、構造を大きく簡略化することができる。
【００３６】
即時停止・即時ポジショニング機能は、ある開き角度範囲内だけに現れる。
【００３７】
ヒンジの内側には左回転板６１と右回転板６２も設置され、それぞれヒンジ内側の左側部分と右側部分の遮蔽に使用される。前記左回転板６１と右回転板６２はそれぞれ中間連結台内側上の軸４３、４４と回転連結される。
【００３８】
本発明によって提供されるフレキシブルスクリーンモバイル端末にはフレキシブルスクリーン左支持板９１とフレキシブルスクリーン右支持板９２が設置される。フレキシブルスクリーン左支持板９１は、複数リンクの左側末端リンク１０１及び左側伸縮連結台の連結部位１１、２Ｌ０と連結される。フレキシブルスクリーン右支持板９２は、複数リンクの右側末端リンク１０２及び左側伸縮連結台の連結部位１２、２Ｒ０と連結される。本発明によって提供されるモバイル端末は携帯電話、ＰＣなどである。
【００３９】
以上の説明はただ本発明の最良の実施例であるが、本発明の構造特徴はこれだけに限らず、本分野の技術者が本発明の分野内において、行った変化又は修訂は、いずれも本発明の保護範囲に属する。
【図１】
0006907343.tif 000002
【図２】
0006907343.tif 000003
【図３】
0006907343.tif 000004
【図４】
0006907343.tif 000005
【図５】
0006907343.tif 000006
【図６】
0006907343.tif 000007
【図７】
0006907343.tif 000008
【図８】
0006907343.tif 000009
【図９】
0006907343.tif 000010
【図１０】
0006907343.tif 000011
【図１１】
0006907343.tif 000012
【図１２】
0006907343.tif 000013
【図１３】
0006907343.tif 000014